(57)【要約】【課題】開封時の衛生を確保しつつ、開口タブのポイ捨てによる環境問題を改善する。【解決手段】缶蓋２の表面に一つの開口タブ２０を設け、開口タブ２０の周りは分割線加工技術によって缶蓋２の表面と結合し、開口タブ２０の表面とリングプル３をリベット４によって結合する形式において、開口タブ２０を前方開口タブ２１と後方開口タブ２２に分け、二つの開口タブの間に前方開口タブ２１を下に折り曲げるための折れ線２３、後方開口タブ２２と缶蓋２の接合箇所に後方開口タブ２３を転折できる折れ線２４を設け、リングプル鼻部３２の近接箇所を前方開口タブ２１にリベット４によって結合する。【選択図】図３
0003124408.tif 000002
【実用新案登録請求の範囲】
【請求項１】
缶本体、及びシームレス接合技術によって缶本体に接合された缶蓋を備え、前記缶蓋の表面に一つの開口タブを有し、前記開口タブの周りは分割線加工技術によって缶蓋の表面と結合され、前記開口タブの表面にリングプルがリベットによって結合されたイージーオープン形式の缶の缶蓋構造であって、
前記開口タブは前方開口タブと後方開口タブに分かれて、
前記二つの開口タブの間に前記前方開口タブを下に折り曲げることのできる折れ線が設けられるとともに、
前記後方開口タブと前記缶蓋の接合箇所に前記後方開口タブを転折できる折れ線が設けられて、
前記リングプルはリングプル鼻部の近接箇所が前記前方開口タブにリベットによって結合されることを特徴とするイージーオープン形式の缶の缶蓋構造。
【請求項２】
リベットの前方にある前方開口タブの上に、補強突ブロックがプレス成型により設けられる請求項１に記載のイージーオープン形式の缶の缶蓋構造。
【請求項３】
後方開口タブの上に、左右対称の補強突ブロックがプレス成型により設けられる請求項１に記載のイージーオープン形式の缶の缶蓋構造。
【請求項４】
後方開口タブ後方の缶蓋表面に一つの補強溝が設けられる請求項１に記載のイージーオープン形式の缶の缶蓋構造。
【請求項５】
開口タブの周りの分割線の両側末端に、カーブ線が設けられる請求項１に記載のイージーオープン形式の缶の缶蓋構造。
【考案の詳細な説明】
【技術分野】
【０００１】
本考案は、イージーオープン形式の缶の缶蓋構造に関する。
【背景技術】
【０００２】
従来のイージーオープン形式の缶では、缶蓋の表面に一つのリングプル及び一つの開口タブが設けられている。リングプルは開口タブにリベットを使って連結され、リングプルを引くと開口タブが缶蓋の表面から外れるという便利な構造になっているが、缶蓋の表面から外されたリングプルと開口タブはそのまま捨てられるため、環境や衛生面に悪影響を及ぼしている。
【０００３】
この問題に対処するため、ある業者によりイージーオープン形式の缶の、新型の缶蓋が開発された。この缶蓋構造は特許文献１に記載されているように、缶蓋の表面中央部にカーブ状のつまみの付いたトップタブがリベット方式で連結され、刻痕の起点及び終点がリベットの前方に配置され、さらにヒンジの隙間を形成するための刻痕及び刻痕に囲まれた開口タブによって構成されて、トップタブの鼻部から開口タブを押込むと缶の開口が開くようになっている。この構造の特徴は、トップタブの鼻部の下の缶蓋、リベット側に沿った刻痕部分にはトップタブ鼻部を収納できる段差のない底面を有するトップタブ鼻部の陥没箇所が設けられている点で、これにより、開口部のトップタブを引いた時、トップタブは缶蓋から外れないため、ポイ棄てを防止し、環境保護の目的を達することができる。
【特許文献１】台湾公告第２０４３２３「イージーオープン缶の缶蓋及びその製法について」
【考案の開示】
【考案が解決しようとする課題】
【０００４】
このように上記従来の缶蓋構造は、トップタブの鼻部を押込んで缶蓋に開口を形成する構造で、操作性に優れているほか、開口タブが缶蓋から外れないことにより、環境保全に有用な機能を兼ね備えたものとなっている。しかしながら、この缶蓋構造の場合、トップタブの鼻部によって開口タブが押し込まれた時に、開口タブが缶蓋の中に折り込まれてドリンクに接触するため、開口タブの表面は汚れが付着しやすく、開封によって開口タブが缶の中に入ると、細菌や汚れが混入し、ドリンクがひどく汚染され、消費者の健康を害する恐れがある。したがって、衛生面を考えると、さらなる改善が必要になっている。
【０００５】
本考案は、このような従来の課題に鑑みなされたもので、イージーオープン形式の缶のの缶蓋構造において、開封時の衛生を確保するとともに、開口タブのポイ捨てによる環境問題の改善を図ること、を目的とする。
【課題を解決するための手段】
【０００６】
このような問題点を解決すべく、本考案は一種の改良型イージーオープン缶の構造に関する技術を提供する。その改良型イージーオープン缶の構造は、一つの缶の本体（１）、及びシームレス接合技術によって缶の本体（１）に接合された缶蓋（２）を含む。前述の缶蓋（２）の表面には一つの開口タブ（２０）があり、この開口タブ（２０）の周りは分割線加工技術によって缶蓋（２）の表面と結合している。開口タブ（２０）の表面とリングプル（３）はリベット（４）によって結合されている。その特徴を下記に示す。開口タブ（２０）は前方開口タブ（２１）と後方開口タブ（２２）に分かれおり、二つの開口タブの間には前方開口タブ（２１）を下に折り曲げることのできる折れ線（２３）、そして、後方開口タブ（２２）と缶蓋（２）の接合箇所には後方開口タブ（２２）を転折できる折れ線（２４）が設けられている。さらに、前方開口タブ（２１）はリベット（４）によってリングプル（３）鼻部（３２）の近接箇所と結合している。以上に基き、リベット（４）の前方にある前方開口タブ（２１）の上に補強突ブロック（２５）をプレス成型により増設する。以上に基き、後方開口タブ（２２）の上に左右対称の補強突ブロック（２６）をプレス成型により増設する。以上に基き、後方開口タブ（２２）後方の缶蓋（２）表面に一つの補強溝（２７）をプレス成型する。以上に基き、開口タブ（２０）の周りの分割線の両側の末端にカーブ線を設置する。なお、（  ）内の符号は後述する［考案を実施するための最良の形態］における該当箇所を示す。
【考案の効果】
【０００７】
本考案のイージーオープン形式の缶の缶蓋構造は、上記構成を有し、リングプル（３）前方の鼻部（３２）を押し込むと前方開口タブ（２１）は下に押し込まれて開口（２８）を開封し、リングプル（３）を後方に引いてから下に押し込むと、開口タブ（２０）前後の二つの開口タブ（２１、２２）は重なった状態になり、この構造において、開口タブ（２０）は開口（２８）に進入せず、ドリンクに浸かることもないため、ドリンク汚染といった問題は発生しない。しかも、開封後の開口タブ（２０）は折畳まれた状態で缶蓋（２）から外れることがないため、環境問題を引き起こす恐れはない。また、開口タブを折畳むことで開口タブの体積は小さくなり、飲用時の妨げとなる心配がない。また、前方開口タブ（２１）の上に補強突ブロック（２５）、後方開口タブ（２２）の上に補強突ブロック（２６）がそれぞれ増設されることによって、開口タブ（２０）の構造を強化し、変形を防ぐことができる。さらに、後方開口タブ（２２）後方の缶蓋２表面に補強溝（２７）が設置されることによって、開口タブ（２０）の後方と缶蓋２の間の構造を強化し、変形を防ぐことができる。またさらに、両側の分割線の末端にカーブ線が設置されることにより、開封時において、開口タブ（２０）が過度に引き裂かれてしまうのを防止することができる。なお、（  ）内の符号は後述する［考案を実施するための最良の形態］における該当箇所を示す。
【考案を実施するための最良の形態】
【０００８】
以下、本考案の一実施の形態について、図を用いて詳しく説明する。図１は本考案の一実施の形態におけるイージーオープン形式のドリンク缶、及びその缶蓋構造の斜視図、図２は同缶蓋構造の断面図、図３は同缶蓋構造の平面図である。
【０００９】
図１及び図２に示すように、ドリンク缶１０は、缶の本体１と、シームレス接合技術によって缶の本体１に接合された缶蓋２とを備える。缶蓋２の表面には、一つの開口タブ２０が設けられる。図３に、開口タブ２０の構造を示している。この開口タブ２０の周りは分割線加工技術によって缶蓋２の表面と結合される。開口タブ２０の表面とリングプル３はリベット４によって結合される。開封時において、開口タブ２０が過度に引き裂かれてしまうのを防止するため、両側の分割線の末端にカーブ線２９が併せて設けられる。開口タブ２０は前方開口タブ２１と後方開口タブ２２に分かれおり、二つの開口タブの間には前方開口タブ２１を下に折り曲げるための折れ線２３が設けられ、後方開口タブ２２と缶蓋２の接合箇所には後方開口タブ２３を自由に転折できる折れ線２４が設けられる。リングプル３はリングプル鼻部３２の近接箇所が前方開口タブ２１にリベット４によって結合される。
【００１０】
また、プレス成型技術を利用して、リベット４の前方にある前方開口タブ２１の上にカーブ状突ブロック２５、後方開口タブ２２に左右対称のカーブ状突ブロック２６、後方開口タブ２２の後方の缶蓋２表面に一つのカーブ状溝２７がそれぞれ増設される。これらの増設により、開口タブ２０及び缶蓋２の構造はより強化される。
【００１１】
図４及び図５に開口タブの第１の動作を示している。図４及び図５に示すように、リングプル３の後方つまみ３１を引き上げた時、リベット４を支点として、前方鼻部３２は下に圧し込み（押し込み）、リングプル３と結合されている前方開口タブ２１と缶蓋２の分割線を引き裂いて開口２８を形成する。この時、前方開口タブ２１は折れ線２３を中心として下に折れ曲がる。これは槓桿（てこ）の原理を利用したもので、リングプル３の力点から支点までの長さが作用点から支点までの長さより長くなっているため、小さな力で大きな働きをすることができる。
【００１２】
図６及び図７に開口タブの第２の動作を示している。なお、これは第１の動作の流れを示す動作図ともなっている。使用者がリングプル３を後方に引くと、後方開口タブ２２は折れ線２４を転折の中心として後向きに回転され、これと同時に、前方開口タブ２１が開口２８より引き上げられ、後方開口タブ２２の回転と共に上昇されて、後向きに回転される。この一連の動作により、前方開口タブ２１は開口２８から分離されて、後方開口タブ２２が図示のとおり垂直状態になったら、第２の動作の完了となる。
【００１３】
図８及び図９は開口タブの第３の動作を示している。第１、第２の動作の後、リングプル３を後方に引いて下に押込むと、後方開口タブ２２は折れ線２４を基準に缶蓋２に張り付けられ、前方開口タブ２１は折れ線２３を基準に後方開口タブ２２の上に張り付けられる。これにより、開口タブ２０は二枚の重ね片として小さくまとまるため、飲用時に邪魔にならない。しかも開口タブ２０は缶蓋２の上に残り、開口２８の中に入ることがないから、缶の中身を汚染することなく、衛生的である。
【００１４】
以上説明したように、このイージーオープン形式の缶の缶蓋構造では、缶蓋２の表面に一つの開口タブ２０を設け、開口タブ２０の周りは分割線加工技術によって缶蓋２の表面と結合し、開口タブ２０の表面とリングプル３をリベット４によって結合する形式で、その構造の特徴は前方開口タブ２１と後方開口タブ２２に分け、二つの開口タブの間に前方開口タブ２１を下に折り曲げることのできる折れ線２３、そして、後方開口タブ２２と缶蓋２の接合箇所に後方開口タブ２３を転折できる折れ線２４を設け、リングプル鼻部３２の近接箇所を前方開口タブ２１にリベット４によって結合しているので、リングプル３前方の鼻部３２を押し込むことにより開口２８を開封し、リングプル３を後方に引いて下に押し込むことにより、開口タブ２０前後の二つの開口タブ２１、２２を折り畳むことができる。したがって、開口タブ２０は開口２８に進入せず、ドリンクに浸かることがないので、ドリンクの汚染の心配がなく、従来のイージーオープン形式の缶の缶蓋構造に比べて、開封時の衛生を確保することができ、安心して飲用することができる。なお、この場合、開口タブを折畳むことで開口タブの体積は小さくなり、飲用時の妨げとなる心配がない。しかも、開封後の開口タブ２０（前方及び後方の二つの開口タブ２１、２２）は折畳まれた状態で缶蓋２から外れることがないので、開口タグのポイ捨てによる環境問題を改善することができる。
【００１５】
また、この缶蓋構造では、前方開口タブ２１の上に補強突ブロック２５、後方開口タブ２２の上に補強突ブロック２６がそれぞれ増設されることによって、開口タブ２０の構造を強化し、変形を防ぐことができる。さらに、後方開口タブ２２後方の缶蓋２表面に補強溝２７が設置されることによって、開口タブ２０の後方と缶蓋２の間の構造を強化し、変形を防ぐことができる。またさらに、両側の分割線の末端にカーブ線が設置されることにより、開封時において、開口タブ２０が過度に引き裂かれてしまうのを防止することができる。
【図面の簡単な説明】
【００１６】
【図１】本考案の一実施の形態におけるイージーオープン形式の缶及びその缶蓋構造の斜視図
【図２】同缶蓋構造の部分断面図
【図３】同缶蓋構造の平面図
【図４】同缶蓋構造の開口タブの第１の動作を示す斜視図
【図５】同缶蓋構造の開口タブの第１の動作を示す部分断面図
【図６】同缶蓋構造の開口タブの第２の動作を示す斜視図
【図７】同缶蓋構造の開口タブの第２の動作を示す部分断面図
【図８】同缶蓋構造の開口タブの第３の動作を示す斜視図
【図９】同缶蓋構造の開口タブの第３の動作を示す部分断面図
【符号の説明】
【００１７】
１０  ドリンク缶
１  缶の本体
２  缶蓋
２０  開口タブ
２１  前方開口タブ
２２  後方開口タブ
２３  折れ線
２４  折れ線
２５  突ブロック
２６  突ブロック
２７  プレス成型溝
２８  開口
２９  カーブ線
３  リングプル
３１  リングプルのつまみ
３２  リングプル鼻部
４  リベット
【図１】
0003124408.tif 000003
【図２】
0003124408.tif 000004
【図３】
0003124408.tif 000005
【図４】
0003124408.tif 000006
【図５】
0003124408.tif 000007
【図６】
0003124408.tif 000008
【図７】
0003124408.tif 000009
【図８】
0003124408.tif 000010
【図９】
0003124408.tif 000011